(57)【要約】  操作端末（１ａ）は、操作端末（１ａ）に接続されている設備機器の情報である第１の接続機器情報を他の操作端末（１ｂ）へ送信する接続機器情報送信部（１２３）と、他の操作端末（１ｂ）に接続されている設備機器の情報である第２の接続機器情報を他の操作端末（１ｂ）から取得する接続機器情報取得部（１２２）と、操作端末（１ａ）に接続されている設備機器および他の操作端末（１ｂ）に接続されている設備機器に対する操作を受け付ける操作受付部（１５）と、操作受付部（１５）が受け付けた操作の内容を表す制御指令の送信先を第１の接続機器情報および第２の接続機器情報から決定し、送信先へ制御指令を送信する空調制御指令送信部（１４２）と、を備える。
2019239470.tif 000002
【特許請求の範囲】
【請求項１】
設備機器の操作に用いられる操作端末であって、
前記操作端末に接続されている設備機器の情報である第１の接続機器情報を他の操作端末へ送信する情報送信部と、
前記他の操作端末に接続されている設備機器の情報である第２の接続機器情報を前記他の操作端末から取得する情報取得部と、
前記操作端末に接続されている設備機器および前記他の操作端末に接続されている設備機器に対する操作を受け付ける操作受付部と、
前記操作受付部が受け付けた操作の内容を表す制御指令の送信先を前記第１の接続機器情報および前記第２の接続機器情報から決定し、前記送信先へ前記制御指令を送信する制御指令送信部と、
を備える操作端末。
【請求項２】
前記操作受付部は、設備機器を選択する第１の操作および前記第１の操作で選択した設備機器に実行させる動作を指示する第２の操作を受け付ける、
請求項１に記載の操作端末。
【請求項３】
前記他の操作端末から送信される前記制御指令を受信する制御指令受信部、
を備え、
前記制御指令送信部は、前記制御指令受信部が受信した前記制御指令の送信先を前記第１の接続機器情報および前記第２の接続機器情報に基づいて決定し、決定した送信先へ前記制御指令受信部が受信した前記制御指令を送信する、
請求項１または２に記載の操作端末。
【請求項４】
前記情報送信部が送信する前記第１の接続機器情報は、前記操作端末との接続関係が変化した設備機器の情報である、
請求項１から３のいずれか一つに記載の操作端末。
【請求項５】
前記情報送信部は、前記第１の接続機器情報に変化が生じた場合に前記第１の接続機器情報を送信する、
請求項１から４のいずれか一つに記載の操作端末。
【請求項６】
前記情報取得部は、前記他の操作端末に接続されている設備機器の動作状態の情報を取得し、前記他の操作端末に接続されている設備機器の動作状態を表示部に表示する、
請求項１から５のいずれか一つに記載の操作端末。
【請求項７】
それぞれが請求項１に記載の操作端末である複数の操作端末と、
前記複数の操作端末のいずれか一つに接続される複数の設備機器と、
を備える設備機器制御システム。
【発明の詳細な説明】
【技術分野】
【０００１】
本発明は、建物内に設置された設備機器を操作する操作端末および設備機器制御システムに関する。
【背景技術】
【０００２】
ビルなどの建物の内部に設置される設備機器には、空調機器、照明機器、換気機器などがある。これらの設備機器は建物内に複数設置される。建物内の各設備機器は１台の操作端末に接続され、操作端末が受け付けた操作の内容に従い動作を行う（例えば特許文献１参照）。
【先行技術文献】
【特許文献】
【０００３】
【特許文献１】実用新案登録第３１０８２０３号公報
【発明の概要】
【発明が解決しようとする課題】
【０００４】
建物内に設置される各設備機器は、通常、ケーブルを介して操作端末に接続され、操作端末と通信を行う。また、各設備機器は、設備機器の増設等が容易な配線である渡り線で接続され、渡り線を介して電源の供給および通信が行われるのが一般的であり、接続可能な設備機器の数は電源容量に依存する。そのため、１台の操作端末に建物内の全ての設備機器を接続して１台の操作端末で操作できるようにすることが難しい場合がある。このような場合、複数の操作端末を設置し、各設備機器をいずれか１台の操作端末に接続し、各設備機器は、自機器と接続されている操作端末が受け付けた操作に従った動作を行う。従来は、各操作端末が操作可能な設備機器が、操作端末に接続されている設備機器に限定されるため、ユーザは、遠く離れた設備機器を操作する場合、操作したい設備機器と接続されている操作端末まで移動する必要があった。【０００５】
本発明は、上記に鑑みてなされたものであって、操作可能な設備機器の数を増加させることが可能な操作端末を得ることを目的とする。
【課題を解決するための手段】
【０００６】
上述した課題を解決し、目的を達成するために、本発明にかかる操作端末は、操作端末に接続されている設備機器の情報である第１の接続機器情報を他の操作端末へ送信する情報送信部と、他の操作端末に接続されている設備機器の情報である第２の接続機器情報を他の操作端末から取得する情報取得部とを備える。また、操作端末は、操作端末に接続されている設備機器および他の操作端末に接続されている設備機器に対する操作を受け付ける操作受付部と、操作受付部が受け付けた操作の内容を表す制御指令の送信先を第１の接続機器情報および第２の接続機器情報から決定し、送信先へ制御指令を送信する制御指令送信部とを備える。
【発明の効果】
【０００７】
本発明にかかる操作端末は、操作可能な設備機器の数を増加させることができるという効果を奏する。
【図面の簡単な説明】
【０００８】
【図１】本発明の実施の形態にかかる設備機器制御システムの構成例を示す図
【図２】本実施の形態にかかる操作端末および空調機の構成例を示す図
【図３】システム構成情報の一例を示す図
【図４】操作端末が自身に接続されている空調機の情報に基づいてシステム構成情報を更新する動作の一例を示すフローチャート
【図５】操作端末が他の操作端末に接続されている空調機の情報に基づいてシステム構成情報を更新する動作の一例を示すフローチャート
【図６】操作端末が空調機に対する制御指令を送信する動作の一例を示すフローチャート
【図７】空調制御指令の構成例を示す図
【図８】実施の形態にかかる操作端末のハードウェア構成例を示す図
【発明を実施するための形態】
【０００９】
以下に、本発明の実施の形態にかかる操作端末および設備機器制御システムを図面に基づいて詳細に説明する。なお、この実施の形態によりこの発明が限定されるものではない。
【００１０】
実施の形態．
図１は、本発明の実施の形態にかかる設備機器制御システムの構成例を示す図である。本実施の形態にかかる設備機器制御システム１００は、複数の操作端末１ａ，１ｂと、操作端末１ａに接続される空気調和機である空調機２ａ−１〜２ａ−ｍと、操作端末１ｂに接続される空気調和機である空調機２ｂ−１〜２ｂ−ｎと、を含んで構成される。以下、操作端末１ａと操作端末１ｂとを区別することなく説明を行う場合、操作端末１ａおよび１ｂを操作端末１と称する場合がある。また、空調機２ａ−１〜２ａ−ｍを区別することなく説明を行う場合、空調機２ａ−１〜２ａ−ｍを空調機２ａと称する場合がある。同様に、空調機２ｂ−１〜２ｂ−ｎを区別することなく説明を行う場合、空調機２ｂ−１〜２ｂ−ｎを空調機２ｂと称する場合がある。また、空調機２ａ−１〜２ａ−ｍおよび２ｂ−１〜２ｂ−ｎのそれぞれを区別することなく説明を行う場合、空調機２ａ−１〜２ａ−ｍおよび２ｂ−１〜２ｂ−ｎを空調機２と称する場合がある。
【００１１】
図１に示した例は、設備機器制御システム１００を構成する操作端末１が２台の場合のものであるが、操作端末１が３台以上であってもよい。また、複数の操作端末１のそれぞれには１台以上の空調機が接続されていればよい。図１は、操作端末１を使用して操作を行う設備機器が空気調和機である場合の例を示したものであるが、操作対象の設備機器を空気調和機に限定するものではない。操作対象の設備機器の他の例は、照明機器、換気機器などである。
【００１２】
各操作端末１は、複数の空調機２が設置されているフロアに設置される。例えば、複数の空調機２が設置されているフロアを複数のエリアに区切り、各エリアに１台の操作端末１が設置される。各エリアには１台以上の空調機２が設置されているものとする。操作端末１は、空調機２を操作するための端末である。操作端末１ａは、通信線５ａを介して空調機２ａ−１〜２ａ−ｍと接続され、これらの各空調機と通信が可能である。操作端末１ｂは、通信線５ｂを介して空調機２ｂ−１〜２ｂ−ｎと接続され、これらの各空調機と通信が可能である。操作端末１ａと空調機２ａ−１〜２ａ−ｍとの接続形態は渡り線である。同様に、操作端末１ｂと空調機２ｂ−１〜２ｂ−ｎとの接続形態は渡り線である。なお、通信線５ａと通信線５ｂを区別することなく説明を行う場合、これらを通信線５と称する場合がある。操作端末１ａと操作端末１ｂとは、通信線４を介した通信が可能である。通信線４を介した通信は、有線通信および無線通信のどちらでも構わない。無線通信で使用するプロトコルは、例えば、インターネットプロトコル、Ｂｌｕｅｔｏｏｔｈ（登録商標）プロトコルなどとすればよい。操作端末１ａに接続されている空調機２ａ−１〜２ａ−ｍは空調機群６ａを形成し、操作端末１ｂに接続されている空調機２ｂ−１〜２ｂ−ｎは空調機群６ｂを形成する。
【００１３】
操作端末１は、自身に接続されている各空調機２の情報と、他の操作端末１に接続されている各空調機２の情報とを保持する。例えば、操作端末１ａは、自身すなわち操作端末１ａに接続されている空調機２が空調機２ａ−１〜２ａ−ｍであることを示す情報を保持するとともに、操作端末１ｂに接続されている空調機２が空調機２ｂ−１〜２ｂ−ｎであることを示す情報を保持する。操作端末１は、空調機２に対する操作をユーザから受け付けると、受け付けた操作の内容を示す空調制御指令を生成して空調機２へ送信する。このとき、操作端末１は、受け付けた操作の対象の空調機２が接続されている操作端末１を特定し、操作対象の空調機２が自身に接続されている場合は空調機２が接続されている通信線５へ空調制御指令を出力する。また、操作端末１は、操作対象の空調機２が他の操作端末１に接続されている場合は他の操作端末１が接続されている通信線４へ空調制御指令を出力する。通信線４に出力された空調制御指令は、上記受け付けた操作の対象の空調機２が接続された操作端末１を経由し、当該空調機２へ送信される。操作端末１がユーザから受け付ける操作には、複数の空調機２の中の少なくとも１つを選択する操作と、選択した空調機２に実行させる動作を指示する操作とが含まれる。
【００１４】
また、操作端末１は、他の操作端末１で生成された空調制御指令を受け取ると、受け取った空調制御指令を確認する。そして、空調制御指令が示す操作が自身に接続されている空調機２に対するものである場合、操作端末１は、受け取った空調制御指令を空調機２が接続されている通信線５へ出力する。
【００１５】
図２は、本実施の形態にかかる操作端末および空調機の構成例を示す図である。各操作端末１の構成は同じであるため、図２では操作端末１ａの構成例を記載し、操作端末１ｂの構成については記載を省略している。同様に、各空調機２の構成は同じであるため、図２では空調機２ａ−１の構成例を記載し、空調機２ａ−ｍの構成については記載を省略している。また、図２では、操作端末１ｂに接続されている空調機２ｂの記載を省略している。各操作端末１は同様の動作を行うため、以下では操作端末１ａの構成および動作について説明を行う。また、各空調機２は同様の動作を行うため、以下では空調機２ａ−１の構成および動作について説明を行う。
【００１６】
操作端末１ａは、通信部１１、システム構成管理部１２、システム構成情報保持部１３、空調制御部１４、操作受付部１５および表示部１６を備える。
【００１７】
通信部１１は、端末間通信部１１１および空調通信部１１２を備える。端末間通信部１１１は、図１に示した通信線４を介して操作端末１ｂと通信を行う。なお、操作端末１ａおよび操作端末１ｂの他にも操作端末が存在する場合、端末間通信部１１１は、操作端末１ｂ以外の他の操作端末との通信も行う。空調通信部１１２は、図１に示した通信線５ａを介して空調機２ａと通信を行う。
【００１８】
システム構成管理部１２は、接続機器情報収集部１２１、接続機器情報取得部１２２および接続機器情報送信部１２３を備える。
【００１９】
接続機器情報収集部１２１は、自身すなわち操作端末１ａに接続されている空調機２ａの情報を収集する。接続機器情報収集部１２１が収取する情報は第１の接続機器情報である。
【００２０】
接続機器情報取得部１２２は、他の操作端末すなわち操作端末１ｂに接続されている空調機２ｂの情報を操作端末１ｂから取得する。接続機器情報取得部１２２が取得する情報は第２の接続機器情報である。なお、操作端末１ｂ以外にも他の操作端末が存在する場合、接続機器情報取得部１２２は、操作端末１ｂ以外の他の操作端末に接続されている空調機２の情報の取得も行う。接続機器情報取得部１２２は、他の操作端末に接続されている設備機器の情報である第２の接続機器情報を取得する情報取得部である。
【００２１】
接続機器情報送信部１２３は、接続機器情報収集部１２１が収集した情報である第１の接続機器情報を操作端末１ｂへ送信する。なお、操作端末１ｂ以外にも他の操作端末が存在する場合、接続機器情報送信部１２３は、操作端末１ｂ以外の他の操作端末へも第１の接続機器情報を送信する。操作端末１ａの接続機器情報送信部１２３が送信する第１の接続機器情報は、操作端末１ａに接続されている空調機２ａ−１〜２ａ−ｍを示す情報である。接続機器情報送信部１２３は、第１の接続機器情報を他の操作端末へ送信する情報送信部である。操作端末１ａが送信する第１の接続機器情報は、例えば、操作端末１ａの識別情報と、空調機２ａ−１〜２ａ−ｍのそれぞれの識別情報とを含む。操作端末１ａが送信する第１の接続機器情報は、操作端末１ａの識別情報、空調機２ａ−１〜２ａ−ｍのそれぞれの識別情報に加えて、空調機２ａ−１〜２ａ−ｍのそれぞれの機種を示す機種情報などを含んでもよい。接続機器情報が機種情報を含む場合、第１の接続機器情報を受け取った操作端末１ｂは、操作端末１ａに接続されている空調機２ａのそれぞれが有する機能を把握することが可能となる。
【００２２】
システム構成情報保持部１３は、設備機器制御システム１００の構成を示すシステム構成情報を保持する。システム構成情報は、設備機器制御システム１００を構成している複数の操作端末１のそれぞれにどの空調機２が接続されているのかを示す情報である。具体的には、システム構成情報は、接続機器情報収集部１２１が収集した情報である第１の接続機器情報と、接続機器情報取得部１２２が取得した情報である第２の接続機器情報とを含む情報である。図３は、システム構成情報の一例を示す図であり、操作端末１ａのシステム構成情報保持部１３が保持しているシステム構成情報の例を示している。図３に示したように、システム構成情報は、例えば、設備機器制御システム１００を構成する各設備機器の情報と、各設備機器の接続先の操作端末の情報とを含んで構成される。設備機器の情報は、１台の設備機器を一意に示す情報である。操作端末の情報は１台の操作端末を一意に示す情報である。設備機器の情報および操作端末の情報は、例えば、製造番号またはこれに相当する情報とすることができる。設備機器の情報および操作端末の情報は、設備機器および操作端末を設置する作業者がこれらを設置する際に決定し、設備機器および操作端末に設定するようにしてもよい。なお、操作端末１ｂのシステム構成情報保持部１３が保持しているシステム構成情報も図３に示したものと同様であるが、操作端末１ｂでは、接続先操作端末が「操作端末１ｂ」となっているものが第１の接続機器情報、接続先操作端末が「操作端末１ａ」となっているものが第２の接続機器情報となる。
【００２３】
システム構成情報は、システム構成管理部１２により更新される。具体的には、接続機器情報収集部１２１が第１の接続機器情報を収集した場合、接続機器情報収集部１２１が、収集した第１の接続機器情報と、システム構成情報保持部１３が保持しているシステム構成情報とをマージすることによりシステム構成情報を更新する。また、接続機器情報取得部１２２が第２の接続機器情報を取得した場合、接続機器情報取得部１２２が、取得した第２の接続機器情報と、システム構成情報保持部１３が保持しているシステム構成情報とをマージすることによりシステム構成情報を更新する。
【００２４】
図２の説明に戻り、空調制御部１４は、空調制御指令生成部１４１、空調制御指令送信部１４２および空調制御指令受信部１４３を備える。
【００２５】
空調制御指令生成部１４１は、操作受付部１５が受け付けた操作の内容を表す制御指令である空調制御指令を生成する。
【００２６】
空調制御指令送信部１４２は、空調制御指令生成部１４１が生成した空調制御指令を、空調機２ａまたは操作端末１ｂへ送信する。空調制御指令送信部１４２は、空調制御指令の送信先を、システム構成情報保持部１３が保持しているシステム構成情報に基づいて決定する。具体的には、空調制御指令送信部１４２は、まず、空調制御指令生成部１４１が生成した空調制御指令が表す操作の対象の空調機２が接続されている操作端末１を、システム構成情報を参照することにより特定する。空調制御指令送信部１４２は、次に、特定した操作端末１が自身すなわち操作端末１ａであれば、空調制御指令を通信線５ａ経由で空調機２ａへ送信し、特定した操作端末１が他の操作端末すなわち操作端末１ｂであれば、空調制御指令を通信線４経由で操作端末１ｂへ送信する。なお、操作端末１ｂ以外にも他の操作端末が存在する場合の空調制御指令送信部１４２の動作も同様である。すなわち、空調制御指令送信部１４２は、空調制御指令が表す操作の対象の空調機２が接続されている操作端末１が他の操作端末の場合、空調制御指令を通信線４経由で他の操作端末へ送信する。また、空調制御指令送信部１４２は、他の操作端末、すなわち操作端末１ｂから送信された空調制御指令を空調制御指令受信部１４３が受信した場合、空調制御指令受信部１４３が受信した空調制御指令を空調機２または他の操作端末へ送信する。設備機器制御システム１００が３台以上の操作端末を含む場合、空調制御指令受信部１４３が受信した空調制御指令の送信先が他の操作端末となる場合がある。空調制御指令送信部１４２は、空調制御指令受信部１４３が受信した空調制御指令の送信先を、システム構成情報保持部１３が保持しているシステム構成情報に基づいて決定する。空調制御指令受信部１４３が受信した空調制御指令の送信先を決定する動作は、空調制御指令生成部１４１が生成した空調制御指令の送信先を決定する動作と同様である。空調制御指令送信部１４２は、空調制御指令の送信先を第１の接続機器情報および第２の接続機器情報に基づいて決定し、決定した送信先へ空調制御指令を送信する制御指令送信部である。
【００２７】
空調制御指令受信部１４３は、制御指令受信部であり、他の端末、すなわち操作端末１ｂから送信された空調制御指令を受信する。
【００２８】
操作受付部１５は、ユーザによる空調機２の操作を受け付ける。操作受付部１５がユーザより受け付ける操作は、空調機２を選択する第１の操作および選択した空調機２に実行させる動作を指示する第２の操作を含む。表示部１６は、操作端末１ａに接続されている空調機２ａの動作状態、空調機２ａまたは他の操作端末に接続されている空調機を操作するための操作メニューなどを表示する。
【００２９】
空調機２ａ−１は、操作端末１ａと通信を行う空調通信部２１と、空調機２ａ−１が備える空気調和を行うための各部を制御する機器制御部２２とを備える。機器制御部２２による制御の対象は、冷媒回路２３、ルーバー２４、ファン２５などである。また、空調機２ａ−１は、図示を省略したメモリなどの記憶手段を備え、記憶手段は、上述した設備機器の情報、すなわち空調機２ａ−１を一意に示す情報を保持する。機器制御部２２は、設備機器情報の送信要求を操作端末１ａから受信した場合、記憶手段から設備機器の情報を読み出して操作端末１ａへ送信する。なお、記憶手段から設備機器の情報を読み出して操作端末１ａへ送信する構成要素を別途設けてもよい。空調機２ａ−１の動作は、操作端末１ａから要求を受けた場合に設備機器の情報を操作端末１ａへ送信する以外は一般的な空調機と同様である。
【００３０】
次に、操作端末１の動作について、図４〜図６を用いて説明する。図４は、操作端末１が自身に接続されている空調機２の情報に基づいてシステム構成情報を更新する動作の一例を示すフローチャートである。図５は、操作端末１が他の操作端末１に接続されている空調機２の情報に基づいてシステム構成情報を更新する動作の一例を示すフローチャートである。図６は、操作端末１が空調機２に対する制御指令を送信する動作の一例を示すフローチャートである。
【００３１】
操作端末１は、図４に示した各ステップを予め定められたタイミングで繰り返し実行することにより、システム構成情報保持部１３が保持しているシステム構成情報を更新する。操作端末１は、例えば、予め定められた時間が経過するごとに、図４に示したステップＳ１１およびこれに続く各ステップを実行する。操作端末１は、予め定められた操作を受け付けた場合に図４に示したステップＳ１１およびこれに続く各ステップを実行してもよい。
【００３２】
操作端末１は、予め定められたタイミングになると、自身に接続されている空調機２から、空調機２を一意に示す情報を収集する（ステップＳ１１）。具体的には、接続機器情報収集部１２１が、空調機２に対して設備機器情報の送信要求を示す信号を生成して空調通信部１１２および通信線５を介して空調機２宛に送信し、空調機２からの応答を一定時間待つ。接続機器情報収集部１２１は、空調機２に対して設備機器情報の送信要求を示す信号をブロードキャスト送信する。空調機２は、設備機器情報の送信要求を示す信号を操作端末１から受信した場合、自空調機２を一意に示す情報である設備機器の情報を操作端末１へ送信する。
【００３３】
操作端末１は、空調機２からの応答を一定時間待った後、システム構成情報を保持していれば（ステップＳ１２：Ｙｅｓ）、ステップＳ１３に移行し、システム構成情報を保持していなければ（ステップＳ１２：Ｎｏ）、ステップＳ１５に移行する。具体的には、接続機器情報収集部１２１が、システム構成情報保持部１３がシステム構成情報を保持しているか否かを確認し（ステップＳ１２）、システム構成情報を保持していない場合（ステップＳ１２：Ｎｏ）、システム構成情報を生成し（ステップＳ１５）、生成したシステム構成情報をシステム構成情報保持部１３に引き渡す。この場合、接続機器情報収集部１２１は、ステップＳ１１で収集した情報に基づいてシステム構成情報を生成する。すなわち、接続機器情報収集部１２１は、ステップＳ１１で収集した情報と、自操作端末１を示す情報とを対応付けることによりシステム構成情報を生成する。
【００３４】
一方、システム構成情報保持部１３がシステム構成情報を保持している場合（ステップＳ１２：Ｙｅｓ）、接続機器情報収集部１２１は、接続されている機器の構成、すなわち、自操作端末１と空調機２との接続関係が変化したか否かを確認する（ステップＳ１３）。接続機器情報収集部１２１は、ステップＳ１１で収集した各情報とシステム構成情報とを比較することで接続関係の変化の有無を判定する。例えば、ステップＳ１１で収集した情報が、空調機Ａの情報、空調機Ｂの情報および空調機Ｃの情報であるとする。この場合、接続機器情報収集部１２１は、システム構成情報が、自操作端末１に接続されている空調機が空調機Ａ、空調機Ｂおよび空調機Ｃの３台であることを示していれば、接続関係に変化が無いと判断する。また、上記の場合において、システム構成情報が、自操作端末１に接続されている空調機が空調機Ａおよび空調機Ｂの２台であることを示していれば、接続機器情報収集部１２１は、接続関係に変化があると判断する。また、上記の場合において、システム構成情報が、自操作端末１に接続されている空調機が空調機Ａ、空調機Ｂ、空調機Ｄの３台であることを示していれば、接続機器情報収集部１２１は、接続関係に変化があると判断する。
【００３５】
接続関係に変化がないと接続機器情報収集部１２１が判断した場合（ステップＳ１３：Ｎｏ）、操作端末１は処理を終了する。一方、接続関係に変化がある場合（ステップＳ１３：Ｙｅｓ）、接続機器情報収集部１２１は、システム構成情報保持部１３が保持しているシステム構成情報を更新する（ステップＳ１４）。具体的には、接続機器情報収集部１２１は、ステップＳ１１で収集した各空調機２の情報である第１の接続機器情報と、システム構成情報保持部１３が保持している現在のシステム構成情報とをマージすることによりシステム構成情報を更新する。
【００３６】
ステップＳ１４を実行してシステム構成情報を生成した場合、および、ステップＳ１５を実行してシステム構成情報を生成した場合、操作端末１は、周囲の他の操作端末１に対して接続機器情報を送信し（ステップＳ１６）、処理を終了する。このステップＳ１６の処理は接続機器情報送信部１２３が行う。ステップＳ１６において、接続機器情報送信部１２３は、接続機器情報収集部１２１がステップＳ１１で収集した各空調機２の情報である第１の接続機器情報を、全ての他の操作端末へ送信する。このとき、接続機器情報送信部１２３は、第１の接続機器情報を他の操作端末１へ個別に送信してもよいし、ブロードキャストで送信してもよい。接続機器情報送信部１２３は、第１の接続機器情報を過去に他の操作端末１へ送信済みの場合、具体的には、ステップＳ１４に続いてステップＳ１６を実行する場合、接続関係が変化した空調機２の情報、すなわち、新たに接続された空調機２および接続されなくなった空調機２の情報のみを他の操作端末１に対して送信してもよい。この場合、送信する情報量を抑制できる。なお、ステップＳ１５に続いてステップＳ１６を実行する場合、自身に接続されている空調機２の情報を初めて収集し、収集した情報を接続機器情報送信部１２３が操作端末１へ送信することになる。よって、ステップＳ１５に続いてステップＳ１６を実行する場合に送信する情報も、接続関係が変化した空調機２の情報といえる。
【００３７】
また、操作端末１は、図５に示した各ステップを繰り返し実行して他の操作端末１から接続機器情報を取得し、取得した接続機器情報に基づいて、保持しているシステム構成情報を更新する。図５に示した各ステップは、操作端末１の接続機器情報取得部１２２が実行する処理である。
【００３８】
すなわち、接続機器情報取得部１２２は、他の操作端末１から接続機器情報を受信したか否かを確認し（ステップＳ２１）、受信していない場合（ステップＳ２１：Ｎｏ）、ステップＳ２１を繰り返す。接続機器情報取得部１２２は、他の操作端末１から接続機器情報を受信した場合（ステップＳ２１：Ｙｅｓ）、システム構成情報保持部１３がシステム構成情報を保持しているか否かを確認し（ステップＳ２２）、システム構成情報を保持していない場合（ステップＳ２２：Ｎｏ）、システム構成情報を生成し（ステップＳ２４）、生成したシステム構成情報をシステム構成情報保持部１３に引き渡す。この場合、接続機器情報取得部１２２は、他の操作端末１から受信した接続機器情報である第２の接続機器情報をシステム構成情報とし、システム構成情報保持部１３に引き渡す。
【００３９】
一方、システム構成情報保持部１３がシステム構成情報を保持している場合（ステップＳ２２：Ｙｅｓ）、接続機器情報取得部１２２は、システム構成情報保持部１３が保持しているシステム構成情報を更新する（ステップＳ２３）。具体的には、接続機器情報取得部１２２は、他の操作端末１から受信すなわち取得した接続機器情報である第２の接続機器情報と、システム構成情報保持部１３が保持している現在のシステム構成情報とをマージすることによりシステム構成情報を更新する。
【００４０】
また、操作端末１は、図６に示した各ステップを繰り返し実行することにより空調機の操作が行われたか否かを確認し、空調制御指令を生成して送信する。
【００４１】
操作端末１は、空調機２の操作が有るか否か、すなわち、操作受付部１５が空調機２の操作を受け付けたか否かを確認する（ステップＳ３１）。操作受付部１５が空調機２の操作を受け付けた場合（ステップＳ３１：Ｙｅｓ）、操作端末１は、操作受付部１５が受け付けた操作の内容を示す空調制御指令を生成する（ステップＳ３２）。このステップＳ３２では、空調制御指令生成部１４１が空調制御指令を生成する。図７は、空調制御指令生成部１４１が生成する空調制御指令の構成例を示す図である。図７に示したように、空調制御指令は、設備機器の情報および指令内容の情報を少なくとも含む。設備機器の情報は、どの設備機器に対する指令であるかを示す情報であり、図３に示したシステム構成情報に含まれる設備機器の情報と同様の情報である。指令内容の情報は、操作受付部１５が受け付けた操作の内容を示す。例えば、操作受付部１５が、図１に示した空調機２ｂ−１の運転を開始させる操作を受け付けた場合、空調制御指令生成部１４１は、空調機２ｂ−１を示す設備機器の情報と、運転開始を示す指令内容の情報とを含む空調制御指令を生成する。なお、操作受付部１５が受け付ける操作は、１台の空調機に対する操作に限らない。操作受付部１５は、設備機器制御システム１００の全ての空調機２に対する操作を受け付けることも可能であり、設備機器制御システム１００の一部の空調機２に対する操作を受け付けることも可能である。例えば、操作受付部１５は、設備機器制御システム１００の全ての空調機２の運転を停止させる操作、一部の空調機２の設定温度を変更する操作、などを受け付け可能である。
【００４２】
ステップＳ３２に続いて、操作端末１は、ステップＳ３１で検出した操作が自身に接続されている空調機２の操作か否か、すなわち、ステップＳ３２で生成した空調制御指令に含まれる設備機器の情報が、自身に接続されている空調機２を示しているか否かを確認する（ステップＳ３３）。このステップＳ３３は空調制御指令送信部１４２が行う。空調制御指令送信部１４２は、システム構成情報保持部１３が保持しているシステム構成情報を確認し、自身に接続されている空調機２の操作か否かを判定する。自身に接続されている空調機２の操作である場合（ステップＳ３３：Ｙｅｓ）、空調制御指令送信部１４２は、空調機２へ空調制御指令を送信する（ステップＳ３４）。自身に接続されている空調機２の操作ではない場合（ステップＳ３３：Ｎｏ）、空調制御指令送信部１４２は、他の操作端末１へ空調制御指令を送信する（ステップＳ３５）。
【００４３】
これに対して、操作端末１は、空調機２の操作が無い場合（ステップＳ３１：Ｎｏ）、空調制御指令を他の操作端末１から受信したか否かを確認する（ステップＳ３６）。このステップＳ３６は、空調制御指令受信部１４３が行う。空調制御指令受信部１４３が空調制御指令を受信しない場合（ステップＳ３６：Ｎｏ）、ステップＳ３１に戻る。空調制御指令受信部１４３は、空調制御指令を受信した場合（ステップＳ３６：Ｙｅｓ）、受信した空調制御指令を空調制御指令送信部１４２に引き渡し、空調制御指令送信部１４２が、受け取った空調制御指令が自身に接続されている空調機２に対する空調制御指令か否かを確認する（ステップＳ３７）。空調制御指令送信部１４２は、システム構成情報保持部１３が保持しているシステム構成情報を確認し、自身に接続されている空調機２に対する空調制御指令か否かを判定する。自身に接続されている空調機２に対する空調制御指令である場合（ステップＳ３７：Ｙｅｓ）、空調制御指令送信部１４２は、空調機２へ空調制御指令を送信する（ステップＳ３８）。自身に接続されている空調機２に対する空調制御指令ではない場合（ステップＳ３７：Ｎｏ）、空調制御指令送信部１４２は、他の操作端末１へ空調制御指令を送信する（ステップＳ３９）。
【００４４】
次に、本実施の形態にかかる操作端末１のハードウェア構成について説明する。図８は、実施の形態にかかる操作端末１のハードウェア構成例を示す図である。操作端末１は、プロセッサ９１、メモリ９２、入力装置９３、表示装置９４および通信回路９５といったハードウェアで構成される。
【００４５】
プロセッサ９１は、ＣＰＵ（Central  Processing  Unit、中央処理装置、処理装置、演算装置、マイクロプロセッサ、マイクロコンピュータ、プロセッサ、ＤＳＰ（Digital  Signal  Processor）ともいう）などである。メモリ９２は、例えば、ＲＡＭ（Random  Access  Memory）、ＲＯＭ（Read  Only  Memory）、フラッシュメモリ、等の、不揮発性または揮発性の半導体メモリが該当する。入力装置９３は、キーパッド、ボタンなどである。表示装置９４は、液晶モニタ、ディスプレイ等である。入力装置９３および表示装置９４は、これらを一体化した構成のタッチパネルであってもよい。通信回路９５は、他の操作端末１および空調機２との間で信号を送受信するための処理回路である。
【００４６】
図２に示した操作端末１の構成要素のうち、通信部１１の端末間通信部１１１および空調通信部１１２は、通信回路９５により実現される。システム構成管理部１２の接続機器情報収集部１２１、接続機器情報取得部１２２および接続機器情報送信部１２３と、空調制御部１４の空調制御指令生成部１４１、空調制御指令送信部１４２および空調制御指令受信部１４３は、プロセッサ９１およびメモリ９２により実現される。詳細には、システム構成管理部１２の上記各部および空調制御部１４の上記各部として動作するためのプログラムをメモリ９２に格納しておき、このプログラムをプロセッサ９１がメモリ９２から読み出して実行することにより、システム構成管理部１２の上記各部および空調制御部１４の上記各部が実現される。また、システム構成情報保持部１３はメモリ９２により実現される。また、操作受付部１５は、入力装置９３により実現される。表示部１６は表示装置９４により実現される。
【００４７】
以上のように、本実施の形態にかかる操作端末１は、自身に接続されている空調機２の情報を収集して他の操作端末１へ送信するとともに、他の操作端末１に接続されている空調機２の情報を他の操作端末１から取得し、自身に接続されている空調機２の情報である第１の接続機器情報と、他の操作端末１に接続されている空調機２の情報である第２の接続機器情報とを含むシステム構成情報を生成して保持する。また、操作端末１は、空調機２に対する操作を受け付けると、受け付けた操作の内容を表す空調制御指令を生成し、空調制御指令の送信先をシステム構成情報に基づいて決定して空調制御指令を送信する。具体的には、操作端末１は、受け付けた操作が自身に接続されている空調機２に対する操作である場合は自身に接続された空調機２へ空調制御指令を送信し、受け付けた操作が他の操作端末１に接続されている空調機２に対する操作である場合は他の操作端末１へ空調制御指令を送信する。また、操作端末１は、自身に接続されている空調機２に対する操作の内容を表す空調制御指令を他の操作端末１から受信した場合、受信した空調制御指令を自身に接続された空調機２へ送信する。このように、本実施の形態にかかる操作端末１は、他の操作端末１に接続されている空調機２の情報を保持するので、他の操作端末１に接続されている空調機２に対する操作を受け付けて他の操作端末１経由で操作対象の空調機２へ空調制御指令を送信することが可能であり、操作可能な空調機２の数を増加させることができる。
【００４８】
なお、本実施の形態では、複数の操作端末１が、それぞれ、他の操作端末との間で必要な情報を送受信してシステム構成情報を更新することとしたが、複数の操作端末１の中の一部の操作端末が必要な情報を収集してシステム構成情報を更新し、システム構成情報を更新するごとに、他の操作端末１へ最新のシステム構成情報を送信するようにしても構わない。
【００４９】
また、操作端末１は、他の操作端末１に接続されている空調機２の運転状態の情報を他の操作端末１から取得し、他の操作端末１に接続されている空調機２の運転状態を表示部１６に表示するなどしてもよい。この場合、例えば、接続機器情報収集部１２１が、自身に接続されている空調機２のそれぞれの動作状態を定期的に問い合わせ、各空調機２の動作状態を把握する。また、接続機器情報送信部１２３が、自身に接続されている空調機２のそれぞれの動作状態の情報を他の操作端末１へ送信する。接続機器情報取得部１２２は、他の操作端末１に接続されている空調機のそれぞれの動作状態の情報を取得し、動作状態を表示部１６に表示する。
【００５０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５１】
１ａ，１ｂ，１  操作端末、２ａ−１，２ａ−ｍ，２ｂ−１，２ｂ−ｎ，２  空調機、４，５ａ，５ｂ  通信線、６ａ，６ｂ  空調機群、１１  通信部、１２  システム構成管理部、１３  システム構成情報保持部、１４  空調制御部、１５  操作受付部、１６  表示部、２１，１１２  空調通信部、２２  機器制御部、２３  冷媒回路、２４  ルーバー、２５  ファン、１００  設備機器制御システム、１１１  端末間通信部、１２１  接続機器情報収集部、１２２  接続機器情報取得部、１２３  接続機器情報送信部、１４１  空調制御指令生成部、１４２  空調制御指令送信部、１４３  空調制御指令受信部。
【図１】
2019239470.tif 000003
【図２】
2019239470.tif 000004
【図３】
2019239470.tif 000005
【図４】
2019239470.tif 000006
【図５】
2019239470.tif 000007
【図６】
2019239470.tif 000008
【図７】
2019239470.tif 000009
【図８】
2019239470.tif 000010
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
設備機器の操作に用いられる操作端末であって、
前記操作端末に接続されている設備機器の情報である第１の接続機器情報を他の操作端末へ送信する情報送信部と、
前記他の操作端末に接続されている設備機器の情報である第２の接続機器情報を前記他の操作端末から取得する情報取得部と、
前記設備機器の識別情報を前記設備機器から取得する通信を予め定められたタイミングで繰り返し実行し、前記通信により取得した識別情報に基づいて前記第１の接続機器情報を生成する接続機器情報収集部と、
前記操作端末に接続されている設備機器および前記他の操作端末に接続されている設備機器に対する操作を受け付ける操作受付部と、
前記操作受付部が受け付けた操作の内容を表す制御指令の送信先を前記第１の接続機器情報および前記第２の接続機器情報から決定し、前記送信先へ前記制御指令を送信する制御指令送信部と、
を備え、
前記接続機器情報収集部が生成した最新の前記第１の接続機器情報である最新接続機器情報が、前記接続機器情報収集部が生成した前回の第１の接続機器情報と異なる場合、前記情報送信部が前記最新接続機器情報を前記他の操作端末へ送信する操作端末。
【請求項２】
前記操作受付部は、設備機器を選択する第１の操作および前記第１の操作で選択した設備機器に実行させる動作を指示する第２の操作を受け付ける、
請求項１に記載の操作端末。
【請求項３】
前記他の操作端末から送信される前記制御指令を受信する制御指令受信部、
を備え、
前記制御指令送信部は、前記制御指令受信部が受信した前記制御指令の送信先を前記第１の接続機器情報および前記第２の接続機器情報に基づいて決定し、決定した送信先へ前記制御指令受信部が受信した前記制御指令を送信する、
請求項１または２に記載の操作端末。
【請求項４】
前記情報取得部は、前記他の操作端末に接続されている設備機器の動作状態の情報を取得し、前記他の操作端末に接続されている設備機器の動作状態を表示部に表示する、
請求項１から３のいずれか一つに記載の操作端末。
【請求項５】
それぞれが請求項１に記載の操作端末である複数の操作端末と、
前記複数の操作端末のいずれか一つに接続される複数の設備機器と、
を備える設備機器制御システム。
【手続補正２】
【補正対象書類名】明細書
【補正対象項目名】０００６
【補正方法】変更
【補正の内容】
【０００６】
上述した課題を解決し、目的を達成するために、本発明にかかる操作端末は、操作端末に接続されている設備機器の情報である第１の接続機器情報を他の操作端末へ送信する情報送信部と、他の操作端末に接続されている設備機器の情報である第２の接続機器情報を他の操作端末から取得する情報取得部とを備える。また、操作端末は、設備機器の識別情報を設備機器から取得する通信を予め定められたタイミングで繰り返し実行し、通信により取得した識別情報に基づいて第１の接続機器情報を生成する接続機器情報収集部を備える。また、操作端末は、操作端末に接続されている設備機器および他の操作端末に接続されている設備機器に対する操作を受け付ける操作受付部と、操作受付部が受け付けた操作の内容を表す制御指令の送信先を第１の接続機器情報および第２の接続機器情報から決定し、送信先へ制御指令を送信する制御指令送信部とを備える。接続機器情報収集部が生成した最新の第１の接続機器情報である最新接続機器情報が、接続機器情報収集部が生成した前回の第１の接続機器情報と異なる場合、情報送信部が最新接続機器情報を他の操作端末へ送信する。
【国際調査報告】
2019239470.tif 000011
2019239470.tif 000012